(57)【特許請求の範囲】
【請求項１】
複数の利用者が幅方向に並んで着座可能な座部と、前記座部の後部又は後方に配された背凭れ部と、を備え、
前記背凭れ部の背面は、前記背面の幅方向中央部に形成された第一面と、
前記背面の幅方向側縁に至る領域に形成され、前記第一面よりも前方に位置する第二面と、
を備え、
前記第二面は、上方から下方に向かって漸次前方に傾斜して形成されている、椅子。
【請求項２】
複数の利用者が幅方向に並んで着座可能な座部と、前記座部の後部又は後方に配された背凭れ部と、を備え、
前記背凭れ部の背面は、前記背面の幅方向中央部に形成された第一面と、
前記背面の幅方向側縁に至る領域に形成され、前記第一面よりも前方に位置する第二面と、
を備え、
前記第一面は、前記背凭れ部の上部において前記背凭れ部の幅方向の全域にわたって形成されるとともに、
上方から下方に向かって前記幅方向の寸法が漸次小さくなるよう形成されている、椅子。
【請求項３】
複数の利用者が幅方向に並んで着座可能な座部と、前記座部の後部又は後方に配された背凭れ部と、を備え、
前記背凭れ部の背面は、前記背面の幅方向中央部に形成された第一面と、
前記背面の幅方向側縁に至る領域に形成され、前記第一面よりも前方に位置する第二面と、
を備え、
前記座部の前端部は、幅方向中央部よりも幅方向両側が後方に位置するよう形成されている、椅子。
【請求項４】
複数の利用者が幅方向に並んで着座可能な座部と、前記座部の後部又は後方に配された背凭れ部と、を備え、
前記背凭れ部の背面は、前記背面の幅方向中央部に形成された第一面と、
前記背面の幅方向側縁に至る領域に形成され、前記第一面よりも前方に位置する第二面と、
を備え、
前記第二面は、前記第一面側から前記背面の幅方向側方に向かって漸次前方に傾斜して形成され、幅方向側方に行くほど前記背凭れ部の前後方向の厚さを薄くする、椅子。
【請求項５】
前記第一面は、鉛直面内に位置する、
請求項１から４の何れか一項に記載の椅子。
【発明の詳細な説明】
【技術分野】
【０００１】
本発明は、ソファやベンチ等の椅子に関する。
【背景技術】
【０００２】
役所、金融機関、病院、駅、空港等の待合室において、複数の利用者が横方向に並んで着座できるベンチが使用されている。ベンチには、利用者が着座する座面を有した座部に加え、背凭れを備えたものがある。
【０００３】
このようなベンチは、特許文献１に開示されているように、座部フレームと、背部フレームと、座部フレームの上面に設けられた座部クッションと、背部フレームの前面に設けられた背部クッションと、座部クッション及び背部クッションを覆うよう設けられた表皮材と、を備えた構成を有している。
このようなベンチは、座部が、複数の利用者が並ぶ幅方向を長辺とした平面視長方形状で、座部の前端部や背凭れの後端部も、幅方向に沿って延びる直線状に形成されているのが一般的である。
【先行技術文献】
【特許文献】
【０００４】
【特許文献１】特開平７−３１３３０１号公報
【発明の概要】
【発明が解決しようとする課題】
【０００５】
ところで、上記したようなベンチは、前後方向に間隔を空けて複数列に配置されることが多い。このような配置とした場合、利用者は、ベンチを利用する際には、利用しようとするベンチに外側方からアプローチし、そのベンチの座部の前端部と、前方の列のベンチの背凭れの背面との間を通り、ベンチにおける座部の着座領域にアクセスする。
このとき、例えば、利用者が車椅子やベビーカーを利用していたり、携帯している荷物が多い場合、車椅子やベビーカー、荷物等が前後のベンチに干渉してしまい、ベンチへのアクセス性が損なわれることがある。
【０００６】
そこでなされた本発明の目的は、ソファやベンチ等の椅子において、アクセス性を高めることである。
【課題を解決するための手段】
【０００７】
本発明は、上記課題を解決するため、以下の手段を採用する。
この発明に係る椅子は、複数の利用者が幅方向に並んで着座可能な座部と、前記座部の後部又は後方に配された背凭れ部と、を備え、前記背凭れ部の背面は、前記背面の幅方向中央部に形成された第一面と、前記背面の幅方向側縁に至る領域に形成され、前記第一面よりも前方に位置する第二面と、を備える。
【０００８】
このように、背凭れ部の背面の幅方向側縁に至る領域に、第一面よりも前方に位置する第二面を設けることで、椅子の後方を通る際に、利用者の下肢や車椅子等が背凭れ部の背面に干渉するのを抑えることができる。
【０００９】
また、本発明に係る椅子は、上記椅子において、前記第二面は、前記第一面側から前記背面の幅方向側方に向かって漸次前方に傾斜して形成されているようにしてもよい。
これにより、背凭れ部の背面は、幅方向側方に行くほど、第二面が第一面よりも前方に位置する。従って、椅子の後方を利用者が通る際のアクセス性を高めることができる。
【００１０】
また、本発明に係る椅子は、上記椅子において、前記第一面は鉛直面内に位置するようにしてもよい。
このように、第一面を鉛直面内に位置するよう形成すると、二つの椅子を背凭れ部の背面同士が互いに対向するよう、いわゆる背中合わせに配置した場合、背凭れ部の幅方向中央部では、第一面同士が互いに突き当たる。これにより、椅子同士の間に幼児や物品等が入り込むのを有効に抑えることができる。
【００１１】
また、本発明に係る椅子は、上記椅子において、前記第二面は、上方から下方に向かって漸次前方に傾斜して形成されているようにしてもよい。
これにより、背凭れ部の上部では、前後方向の厚さを確保することができ、座部に着座する利用者にとって、背凭れ部にもたれ掛かったときの着座感を損なうのを抑えることができる。このように、着座感を確保しつつ、椅子の後方を他の利用者が通る際のアクセス性を高めることができる。
【００１２】
また、本発明に係る椅子は、上記椅子において、前記第一面は、前記背凭れ部の上部において前記背凭れ部の幅方向の全域にわたって形成されるとともに、上方から下方に向かって前記幅方向の寸法が漸次小さくなるよう形成されているようにしてもよい。
これにより、背凭れ部の上部は、幅方向側方であっても前後方向の厚さを確保することができる。したがって、座部に着座する利用者にとって、背凭れ部にもたれ掛かったときの着座感を損なうのを抑えることができる。このように、着座感を確保しつつ、椅子の後方を他の利用者が通る際のアクセス性を高めることができる。
【００１３】
また、本発明に係る椅子は、上記椅子において、前記座部の前端部は、幅方向中央部よりも幅方向両側が後方に位置するよう形成されているようにしてもよい。
このように、座部の前端部の幅方向両側を後方に位置させることで、椅子の座部の前方を利用者が通る際にも、アクセス性を高めることができる。
【発明の効果】
【００１４】
この発明に係る椅子によれば、ソファやベンチ等の椅子において、アクセス性を高めることができる。
【図面の簡単な説明】
【００１５】
【図１】本発明の一実施形態に係る椅子の構成を示す図であり、複数の椅子を前後に並べて配置した状態を示す斜視図である。
【図２】上記椅子の内部構造を示す斜視図である。
【図３】複数の上記椅子を前後に並べて配置した状態を示す斜視図である。
【図４】複数の上記椅子を背中合わせに並べて配置した状態を示す斜視図である。
【図５】複数の上記椅子を背中合わせに並べて配置した状態を示す側面図である。
【図６】上記椅子の変形例を示す斜視図である。
【図７】上記椅子のさらに他の変形例を示す斜視図である。
【発明を実施するための形態】
【００１６】
以下、添付図面を参照して、本発明による椅子を実施するための形態を説明する。しかし、本発明はこの実施形態のみに限定されるものではない。
【００１７】
図１は、本発明の一実施形態に係る椅子の構成を示す図であり、複数の椅子を前後に並べて配置した状態を示す斜視図である。図２は、上記椅子の内部構造を示す斜視図である。図３は、複数の上記椅子を前後に並べて配置した状態を示す斜視図である。図４は、複数の上記椅子を背中合わせに並べて配置した状態を示す斜視図である。図５は、複数の上記椅子を背中合わせに並べて配置した状態を示す側面図である。
以下の説明において、ベンチ（椅子）１０に利用者が着座した状態で、利用者が正面を向く方向を前方、その反対方向を後方または背面側、前方と後方とを結ぶ方向に水平面内で直交する方向を幅方向と適宜称する。
図１に示すように、ベンチ１０は、座部２０と、背凭れ部３０と、を備えている。
【００１８】
座部２０は、木製または金属製の座部フレーム２１（図２参照）と、座部クッション２２と、表皮材２３と、から構成されている。座部２０は、幅方向に長く、前後方向に短い平面視略長方形状に形成されている。
【００１９】
図２に示すように、座部フレーム２１は、床面Ｆと平行に配置された底板２４と、底板２４の上方に隙間を隔てて配置された上板２５と、底板２４上に立設され、上板２５を支持する支持材２６と、を一体に備えている。底板２４の下面には、下方に向かって延び、床面Ｆ上に立脚する脚部材２７が装着されている。
【００２０】
座部クッション２２は、上板２５上に設けられている。座部クッション２２は、例えば、ウレタン等、適宜のクッション材からなる。
【００２１】
図１に示すように表皮材２３は、皮革、布、ビニール系素材等からなり、座部クッション２２及び座部フレーム２１の少なくとも上方、前方、及び幅方向両側方を覆うように設けられている。
【００２２】
図３に示すように、このような座部２０において、座部２０の前端部２０ｆは、座部２０の幅方向の中央部２０ｃに対し、幅方向の両端部２０ｓ，２０ｓが後方に位置するよう形成されている。図３の例では、座部２０の前端部２０ｆは、平面視した状態で、幅方向両端部２０ｓ，２０ｓに対し、中央部２０ｃが前方に膨出する湾曲面２０ｗによって形成されている。
【００２３】
図１に示すように、背凭れ部３０は、木製または金属製の背部フレーム３１（図２参照）と、背部クッション３２と、表皮材３３と、から構成されている。背凭れ部３０は、座部２０の後端部から上方に向かって延びるよう形成されている。
【００２４】
図２に示すように、背部フレーム３１は、座部フレーム２１の後端部から上方に向かって延びる背面板３４と、背面板３４の前方に隙間を隔てて配置された前面板３５と、背面板３４と前面板３５との間に設けられた支持材３６と、を一体に備えている。
【００２５】
図１に示すように、背部クッション３２は、前面板３５の前方を覆うように設けられている。背部クッション３２は、例えば、ウレタン等、適宜のクッション材からなる。
【００２６】
表皮材３３は、皮革、布、ビニール系素材等からなり、背部クッション３２及び背部フレーム３１の前方、後方、上方、及び幅方向両側方を覆うように設けられている。
【００２７】
このような背凭れ部３０において、背凭れ部３０の背面３０ｒは、背凭れ部３０の背面３０ｒの幅方向の中央部３０ｃに対して幅方向両側で、背面３０ｒの幅方向側縁３０ｅに至る領域に、前方に向かって傾斜した切欠き面（第二面）３７が形成されている。
この実施形態では、背凭れ部３０の背面３０ｒの中央部３０ｃは、床面Ｆに直交する鉛直面（第一面）３０Ｖによって形成されている。これに対し、切欠き面３７は、上方から下方に向かって漸次前方に傾斜しつつ、鉛直面３０Ｖ側から幅方向外方に向かって漸次前方に傾斜する傾斜面３０Ｆによって形成されている。この傾斜面３０Ｆは、背凭れ部３０の背面３０ｒと側面３０ｓとの交差部を頂点３０ｔとした三角形状をなし、その底辺３０ｂは、鉛直面３０Ｖの下端部と座部２０の側面２０ｇの下端部とを斜めに接続するよう形成されている。
【００２８】
図１、図３に示すように、このようなベンチ１０は、前後方向に間隔を開けて、座部２０の前端部２０ｆを同じ方向を向けて複数並べて設置した場合、座部２０の前端部２０ｆは、幅方向の中央部２０ｃに対し、幅方向の両端部２０ｓ，２０ｓが後方に位置している。したがって、前後のベンチ１０，１０の間に利用者が出入りする際、後方のベンチ１０の座部２０の前端部２０ｆの幅方向の両端部２０ｓ，２０ｓに干渉しにくくなっている。
また、ベンチ１０は、背凭れ部３０の背面３０ｒの幅方向両側に、切欠き面３７が形成されている。したがって、前後のベンチ１０，１０の間に利用者が出入りする際、後方のベンチ１０の背凭れ部３０の背面３０ｒの幅方向の両側の端部に干渉しにくくなっている。
【００２９】
また、図４、図５に示すように、二つのベンチ１０，１０を、背凭れ部３０，３０同士を突き合わせて配置した場合、背凭れ部３０，３０同士は、幅方向中央部３０ｃの鉛直面３０Ｖ，３０Ｖ同士が互いに突き当たる。したがって、背中合わせに着座した他のベンチ１０に着座した利用者の動作が、背凭れ部３０を通して感じられ、着座感が損なわれるのを防ぐことができる。さらに、背凭れ部３０，３０の背面３０ｒの幅方向両側の切欠き面３７，３７の間に隙間Ｓは形成されるものの、幅方向中央部３０ｃの鉛直面３０Ｖ，３０Ｖは互いに突き当たっている。したがって、背凭れ部３０，３０の間に幼児等が入り込むのを防ぐことができる。
【００３０】
上述したように、ベンチ１０は、複数の利用者が幅方向に並んで着座可能な座部２０と、座部２０に支持された背凭れ部３０と、を備え、背凭れ部３０の背面３０ｒは、背面３０ｒの幅方向中央部３０ｃに形成された鉛直面３０Ｖと、背面３０ｒの幅方向側縁３０ｅに至る領域に形成され、鉛直面３０Ｖよりも前方に位置する切欠き面３７と、を備える。
このように、背凭れ部３０の背面３０ｒの幅方向側方に、鉛直面３０Ｖよりも前方に位置する切欠き面３７を設けることで、ベンチ１０の後方を通る際に、利用者の下肢や車椅子等が背凭れ部３０の背面３０ｒに干渉するのを抑えることができる。したがって、ベンチ１０において、アクセス性を高めることができる。
【００３１】
また、切欠き面３７は、鉛直面３０Ｖ側から背面３０ｒの幅方向側方に向かって漸次前方に傾斜して形成されている。
これにより、背凭れ部３０の背面３０ｒは、幅方向側方に行くほど、切欠き面３７が鉛直面３０Ｖよりも前方に位置する。従って、ベンチ１０の後方を利用者が通る際のアクセス性を高めることができる。
【００３２】
また、背凭れ部３０の幅方向中央部３０ｃに、鉛直面３０Ｖを形成すると、二つのベンチ１０を背凭れ部３０の背面３０ｒ同士が互いに対向するよう、いわゆる背中合わせに配置した場合、背凭れ部３０の幅方向中央部では、鉛直面３０Ｖ同士が互いに突き当たる。これにより、ベンチ１０同士の間に幼児や物品等が入り込むのを有効に抑えることができる。
【００３３】
また、切欠き面３７は、上方から下方に向かって漸次前方に傾斜して形成されている。
これにより、背凭れ部３０の上部では、前後方向の厚さを確保することができ、座部２０に着座する利用者にとって、背凭れ部３０にもたれ掛かったときの着座感を損なうのを抑えることができる。このように、着座感を確保しつつ、ベンチ１０の後方を他の利用者が通る際のアクセス性を高めることができる。
【００３４】
また、鉛直面３０Ｖは、背凭れ部３０の上部において背凭れ部３０の幅方向全域にわたって形成されるとともに、上方から下方に向かって幅方向寸法が漸次小さくなるよう形成されている。
これにより、背凭れ部３０の上部は、幅方向側方においても、前後方向の厚さを確保することができ、座部２０に着座する利用者にとって、背凭れ部３０にもたれ掛かったときの着座感を損なうのを抑えることができる。このように、着座感を確保しつつ、ベンチ１０の後方を他の利用者が通る際のアクセス性を高めることができる。
【００３５】
また、座部２０の前端部２０ｆは、幅方向中央部２０ｃよりも幅方向両端部２０ｓ，２０ｓが後方に位置するよう形成されている。
このように、座部２０の前端部２０ｆの幅方向両端部２０ｓ，２０ｓを後方に位置させることで、ベンチ１０の座部２０の前方を利用者が通る際にも、アクセス性を高めることができる。
【００３６】
（その他の実施形態）
なお、本発明の椅子は、図面を参照して説明した上述の実施形態に限定されるものではなく、その技術的範囲において様々な変形例が考えられる。
例えば、図６に示すように、背凭れ部３０の背面３０ｒの高さ全体において、幅方向中央部３０ｃの鉛直面３０Ｖよりも前方に位置する切欠き面３７’を形成するようにしてもよい。
また、図７に示すように、背凭れ部３０の背面３０ｒの幅方向全体に鉛直面３０Ｖを形成するのではなく、鉛直面３０Ｖに、凹部３８等を形成するようにしてもよい。
【００３７】
また、上記実施形態では、背凭れ部３０が、座部２０の後端部に支持されて設けられているが、これに限らず、背凭れ部３０は、座部２０の後端部に、脚部材２７等の脚に支持されて設けられていてもよい。
さらに、背凭れ部３０は、座部２０の後端部に限らず、座部２０の後部又は座部２０の後方に設けられているのであればよく、その位置や取付構造について、何ら限定するものではない。
これ以外にも、本発明の主旨を逸脱しない限り、上記実施の形態で挙げた構成を取捨選択したり、他の構成に適宜変更したりすることが可能である。
【符号の説明】
【００３８】
１０  ベンチ（椅子）
２０  座部
２０ｃ  中央部
２０ｆ  前端部
２０ｓ  幅方向両端部
２１  座部フレーム
３０  背凭れ部
３０ｅ  幅方向測縁
３０Ｆ  傾斜面
３０Ｖ  鉛直面（第一面）
３０ｃ  幅方向中央部
３０ｒ  背面
３０ｓ  側面
３７  切欠き面（第二面）
【図１】
0006671945.tif 000002
【図２】
0006671945.tif 000003
【図３】
0006671945.tif 000004
【図４】
0006671945.tif 000005
【図５】
0006671945.tif 000006
【図６】
0006671945.tif 000007
【図７】
0006671945.tif 000008